(57)【要約】【課題】最適なマルチメディア伝送サービスを受信することができる通信装置の提供。【解決手段】ネットワーク１２０を介してマルチメディア伝送サービスの提供を受けるに際しての、ユーザのネットワーク１２０の利用に関するサービス利用情報を取得する情報問合せ手段１０３と、マルチメディア伝送サービスを提供する通信サーバ１１４とネットワーク１２０を介して通信を行う回線交換通信手段１０７およびパケット交換通信手段１０８と、回線交換通信手段１０７およびパケット交換通信手段１０８の使用状況を監視する課金状況監視手段１０５と、情報問合せ手段１０３で取得したサービス利用情報および課金状況監視手段１０５での監視結果情報に基いて、通信サーバ１１４に対して、マルチメディア伝送サービスの提供を要求するマルチメディア伝送サ−ビス要求手段１０４とを備え、各通信手段の利用状況に応じて最適なマルチメディア伝送サービスを受信できる。【選択図】図１
2006050594.tif 000002
【特許請求の範囲】
【請求項１】
通信媒体を介してマルチメディア伝送サービスの提供を受けるに際しての、ユーザの前記通信媒体の利用に関するサービス利用情報を入手するサービス利用情報入手部と、前記マルチメディア伝送サービスを提供する前記マルチメディア伝送サービス提供装置と前記通信媒体を介して通信を行う通信部と、前記通信部の使用状況を監視する通信状況監視部と、前記サービス利用情報入手部で入手した前記サービス利用情報または前記通信監視部での監視結果情報に基いて、前記マルチメディア伝送サービス提供装置に対して、前記マルチメディア伝送サービスの提供を要求するマルチメディア伝送サ−ビス要求部とを備えた通信装置。
【請求項２】
前記マルチメディア伝送サービス提供装置が、前記ユーザの前記通信媒体の利用に関するサービス利用情報を管理し、前記サービス利用情報を前記サービス利用情報入手部に供給するユーザ情報管理サーバと、前記マルチメディア伝送サ−ビス要求部からの要求に応じて、前記マルチメディア伝送サービスの提供を行う通信サーバとを有する請求項１記載の通信装置。
【請求項３】
前記マルチメディア伝送サービス提供装置が、前記ユーザの前記通信媒体の利用に関するサービス利用情報を管理し、前記サービス利用情報を前記サービス利用情報入手部に供給するユーザ情報管理サーバと、前記マルチメディア伝送サ−ビス要求部からの要求に応じて、前記マルチメディア伝送サービスの提供を行う他の通信装置とを有する請求項１記載の通信装置。
【請求項４】
前記通信部が、前記通信媒体に接続されてパケット交換による通信を行うパケット交換通信部と、前記通信媒体に接続されて回線交換による通信を行う回線交換通信部とを有する請求項１記載の通信装置。
【請求項５】
前記通信状況監視部が、前記パケット交換通信部または前記回線交換通信部の使用による課金状況、または前記パケット交換通信部の使用によるパケット使用状況を監視する請求項４記載の通信装置。
【請求項６】
前記サービス利用情報が、ユーザの前記課金状況または前記パケット使用状況である請求項５記載の通信装置。
【請求項７】
マルチメディア伝送サービスの提供を要求する他の通信装置からのマルチメディア伝送要求に基づいて、前記マルチメディア伝送サービスの提供方法を決定するマルチメディア伝送方法決定部と、前記マルチメディア伝送方法決定部で決定された前記マルチメディア伝送方法により、前記要求されたマルチメディア伝送サービスを通信媒体を介して前記他の通信装置に伝送するマルチメディア伝送部と、前記他の通信装置と前記通信媒体を介して通信を行う通信部とを備えた通信装置。
【請求項８】
前記他の通信装置からのマルチメディア伝送要求が、前記他の通信装置内の他の通信部の使用状況に応じて要求される、前記マルチメディア伝送サービスの提供方法の変更の要求を含む請求項７記載の通信装置。
【請求項９】
マルチメディア伝送部が、伝送すべき伝送情報を保存した伝送情報保存部を有し、前記情報保存部に保存された前記伝送情報が、前記通信部および前記通信媒体を介して、前記他の通信装置に伝送される請求項７記載の通信装置。
【請求項１０】
前記通信部が、前記通信媒体に接続されてパケット交換による通信を行うパケット交換通信部と、前記通信媒体に接続されて回線交換による通信を行う回線交換通信部とを有する請求項７記載の通信装置。
【請求項１１】
前記他の通信装置が、前記他の通信部の使用状況を監視する通信状況監視部を有し、前記マルチメディア伝送要求が、前記通信状況監視部での監視結果に応じて要求される請求項８記載の通信装置。
【請求項１２】
前記他の通信装置が、前記通信媒体を介して前記マルチメディア伝送サービスの提供を受けるに際しての、ユーザの前記通信媒体の利用に関するサービス利用情報を入手するサービス利用情報入手部を有し、前記マルチメディア伝送要求が、前記サービス利用情報入手部で入手した前記サービス利用情報に基いて要求される請求項７記載の通信装置。
【請求項１３】
前記他の通信部が、前記通信媒体に接続されてパケット交換による通信を行うパケット交換通信部と、前記通信媒体に接続されて回線交換による通信を行う回線交換通信部とを有する請求項８記載の通信装置。
【請求項１４】
前記他の通信部が、前記通信媒体に接続されてパケット交換による通信を行うパケット交換通信部と、前記通信媒体に接続されて回線交換による通信を行う回線交換通信部とを有し、前記通信状況監視部が、前記パケット交換通信部または前記回線交換通信部の使用による課金状況、または前記パケット交換通信部の使用によるパケット使用状況を監視する請求項１１記載の通信装置。
【請求項１５】
前記他の通信部が、前記通信媒体に接続されてパケット交換による通信を行うパケット交換通信部と、前記通信媒体に接続されて回線交換による通信を行う回線交換通信部とを有し、前記通信状況監視部が、前記パケット交換通信部または前記回線交換通信部の使用による課金状況、または前記パケット交換通信部の使用によるパケット使用状況を監視し、前記サービス利用情報が、前記ユーザの前記課金状況または前記パケット使用状況である請求項１２記載の通信装置。
【請求項１６】
通信媒体を介してマルチメディア伝送サービスを他の通信装置に提供するに際しての、ユーザの前記通信媒体の利用に関するサービス利用情報を入手するサービス利用情報入手部と、前記通信媒体を介して前記他の通信装置と通信を行う通信部と、前記通信部の使用状況を監視する通信状況監視部と、前記他の通信装置に前記マルチメディア伝送サービスの提供を行うに際しての、前記マルチメディア伝送サービスの提供方法を決定するマルチメディア伝送方法決定部と、前記通信状況監視部での監視結果情報に基いて、前記他の通信装置に対して、前記マルチメディア伝送サービスの提供方法の変更を要求するマルチメディア伝送サービス変更要求部とを備えた通信装置。
【請求項１７】
前記通信部が、前記通信媒体に接続されてパケット交換による通信を行うパケット交換通信部と、前記通信媒体に接続されて回線交換による通信を行う回線交換通信部とを有する請求項１６記載の通信装置。
【請求項１８】
前記通信状況監視部が、前記パケット交換通信部または前記回線交換通信部の使用による課金状況、または前記パケット交換通信部の使用によるパケット使用状況を監視する請求項１７記載の通信装置。
【請求項１９】
前記サービス利用情報が、ユーザの前記課金状況または前記パケット使用状況である請求項１８記載の通信装置。
【請求項２０】
通信媒体を介してマルチメディア伝送サービスの提供を受けるに際しての、ユーザの前記通信媒体の利用に関するサービス利用情報を入手するサービス利用情報入手部と、前記サービス利用情報入手部で入手したサービス利用情報に基いて、前記提供を受けるマルチメディア伝送サービスの要求条件を作成するマルチメディア伝送サービス要求条件作成部と、前記マルチメディア伝送サービス要求条件作成部で作成した前記要求条件を、前記マルチメディア伝送サービスを提供する他の通信装置に対して送信するマルチメディア伝送サービス要求部と、前記通信媒体を介して前記他の通信装置と通信を行う通信部とを備えた通信装置。
【請求項２１】
前記通信部が、前記通信媒体に接続されてパケット交換による通信を行うパケット交換通信部と、前記通信媒体に接続されて回線交換による通信を行う回線交換通信部とを有する請求項２０記載の通信装置。
【請求項２２】
前記他の通信装置が、前記パケット交換通信部または前記回線交換通信部の使用による課金状況、または前記パケット交換通信部の使用によるパケット使用状況を監視する請求項２１記載の通信装置。
【請求項２３】
前記サービス利用情報が、ユーザの前記課金状況または前記パケット使用状況である請求項２２記載の通信装置。
【請求項２４】
マルチメディア伝送サービスの提供を要求する他の通信装置からの前記マルチメディア伝送要求に基づいて、前記マルチメディア伝送サービスの提供方法を決定するマルチメディア伝送方法決定部と、前記マルチメディア伝送方法決定部で決定された前記マルチメディア伝送方法により、前記要求された伝送すべき伝送情報を通信媒体を介して前記他の通信装置に伝送するマルチメディア伝送部と、前記通信媒体を介して前記他の通信装置と通信を行う通信部と、前記通信部の使用状況を監視する通信状況監視部と、前記通信状況監視部での監視結果情報に基いて、前記マルチメディア伝送要求に応じて、前記マルチメディア伝送サービスの提供方法を変更するマルチメディア伝送方法変更部とを備えた通信装置。
【請求項２５】
前記通信部が、前記通信媒体に接続されてパケット交換による通信を行うパケット交換通信部と、前記通信媒体に接続されて回線交換による通信を行う回線交換通信部とを有する請求項２４記載の通信装置。
【請求項２６】
前記通信状況監視部が、前記パケット交換通信部または前記回線交換通信部の使用による課金状況、または前記パケット交換通信部の使用によるパケット使用状況を監視する請求項２５記載の通信装置。
【請求項２７】
前記他の通信装置が、前記通信媒体を介して前記マルチメディア伝送サービスの提供を受けるに際しての、ユーザの前記通信媒体の利用に関するサービス利用情報を入手するサービス利用情報入手部を有し、前記マルチメディア伝送要求が、前記サービス利用情報入手部で入手した前記サービス利用情報に基いて要求される請求項２４記載の通信装置。
【請求項２８】
前記通信部が、前記通信媒体に接続されてパケット交換による通信を行うパケット交換通信部と、前記通信媒体に接続されて回線交換による通信を行う回線交換通信部とを有し、前記通信状況監視部が、前記パケット交換通信部または前記回線交換通信部の使用による課金状況、または前記パケット交換通信部の使用によるパケット使用状況を監視し、前記サービス利用情報が、ユーザの前記課金状況または前記パケット使用状況である請求項２７記載の通信装置。
【発明の詳細な説明】
【技術分野】
【０００１】
本発明は、ユーザのキャリアサービス加入状況および課金状況などの変化に応じて、マルチメディア伝送サービスの受信や相手通信端末との双方向コミュニケーションを行うための通信端末および通信サーバなどの通信装置に関する。
【背景技術】
【０００２】
昨今、携帯電話端末の高性能化に伴い、マルチメディア伝送サービス（映像のストリーミングサービスや音声ストリーミングサービスなど）の多様化（様々なベアラによる提供）が目覚しく、今後ますます発展していくものと推測される。
【０００３】
従来、携帯電話端末によりマルチメディア伝送サービスを受信する場合、ユーザがサービスを指定することが主であり、またマルチメディア伝送サービスを変更する場合、サービスが終了するかユーザが現在再生しているサービス内容を中断し、新たなサービスを指定するという方法がとられていた。
【０００４】
従来、多様化する通信サービスの中からユーザに最適なサービスを提供する方法として、ＡＣＲ(Automatic Career Routing)のように、ユーザが加入している通信サービスの中から自動的に最も安い通信回線を用いて発呼する方式や、特許文献１に記載されているように、あらかじめユーザの希望条件を登録し、発信時にそのユーザの希望条件にマッチした回線を選択する仕組みが示されている。
【０００５】
一方、携帯電話の世界では、無線方式が２ＧであるＰＤＣ（Personal Digital Cellular）から３ＧであるＷ−ＣＤＭＡ（Wideband-Code Division Multiple Access）またはＣＤＭＡ２０００への移行期にある。各キャリアはＰＤＣに加えＷ−ＣＤＭＡ、ＣＤＭＡ２０００用の料金プランを用意すると共に、パケット料金プランやパケット定額制プランなども新たに設定してきており、３Ｇへの移行が本格化するに当たり、ますます料金プランが多様化されていくものと推測される。
【特許文献１】特開２００３−９２６２２号公報
【発明の開示】
【発明が解決しようとする課題】
【０００６】
しかしながら、上述したような方法では、ますます多様化が見込まれる料金プランに加入するユーザに対し、ユーザ個々に最適なマルチメディア伝送サービスを提供することはできない。
【０００７】
具体的には、パケット定額制に加入しているユーザが、回線交換によるマルチメディア伝送サービスを受信するといったケースや、動的に変化する課金状況（例えば、ある閾値を境に課金係数が増加するような状況など）に対応していないため、ユーザへの請求額が膨大になってしまうといったケースが存在していた。
【０００８】
また、通信端末がマルチメディア伝送サービスを提供することが可能になった場合においても、マルチメディア伝送サービスの受信端末のユーザ個々に最適なサービスを提供できないのに加え、サービス提供側にもネットワーク使用に伴う課金が発生する場合には、サービス提供端末のユーザ個々が最適なサービスを提供できず、ユーザへの請求額が膨大になってしまうというケースが存在することが推測される。
【０００９】
加えて、通信端末間の通話においても、発信側課金の場合には発信端末のユーザ、着信側課金の場合には着信端末のユーザに最適な通信ベアラを選択できておらず、ユーザへの請求額が膨大になってしまうといったケースが存在していた。
【００１０】
本発明は、かかる点に鑑みてなされたものであり、多様化するユーザのキャリアサービス加入状況および課金状況の変化に応じて、最適なマルチメディア伝送サービスの受信や相手通信端末との双方向コミュニケーションを行う通信端末および通信サーバなどの通信装置を提供することを目的とする。
【課題を解決するための手段】
【００１１】
本発明の通信装置は、通信媒体を介してマルチメディア伝送サービスの提供を受けるに際しての、ユーザの通信媒体の利用に関するサービス利用情報を入手するサービス利用情報入手部と、マルチメディア伝送サービスを提供するマルチメディア伝送サービス提供装置と通信媒体を介して通信を行う通信部と、通信部の使用状況を監視する通信状況監視部と、サービス利用情報入手部で入手したサービス利用情報または通信監視部での監視結果情報に基いて、マルチメディア伝送サービス提供装置に対して、マルチメディア伝送サービスの提供を要求するマルチメディア伝送サ−ビス要求部とを備えた構成を有している。
【００１２】
この構成により、通信状況監視部が、動的に変化する通信部の使用状況を逐次把握することが可能となり、ユーザの加入サービス利用情報を基に、マルチメディア伝送サービス提供者などが提供する多様なベアラによるマルチメディア伝送サービスの中から、最適なマルチメディア伝送サービスを選択することが可能となる。
【００１３】
また、本発明の通信装置は、マルチメディア伝送サービス提供装置が、ユーザの通信媒体の利用に関するサービス利用情報を管理し、サービス利用情報をサービス利用情報入手部に供給するユーザ情報管理サーバと、マルチメディア伝送サ−ビス要求部からの要求に応じて、マルチメディア伝送サービスの提供を行う通信サーバとを有する構成を有している。
【００１４】
この構成により、通信状況監視部が、動的に変化する通信部の使用状況を逐次把握することが可能となり、ユーザ情報管理サーバが管理するユーザの加入サービス利用情報を基に、マルチメディア伝送サービス提供会社などが有する通信サーバによって提供される多様なベアラによるマルチメディア伝送サービスの中から、最適なマルチメディア伝送サービスを選択することが可能となる。
【００１５】
また、本発明の通信装置は、マルチメディア伝送サービス提供装置が、ユーザの通信媒体の利用に関するサービス利用情報を管理し、サービス利用情報をサービス利用情報入手部に供給するユーザ情報管理サーバと、マルチメディア伝送サ−ビス要求部からの要求に応じて、マルチメディア伝送サービスの提供を行う他の通信装置とを有する構成を有している。
【００１６】
この構成により、通信状況監視部が、動的に変化する通信部の使用状況を逐次把握することが可能となり、ユーザ情報管理サーバが管理するユーザの加入サービス利用情報を基に、マルチメディア伝送サービスを提供する個人が有する他の通信装置によって提供される多様なベアラによるマルチメディア伝送サービスの中から、最適なマルチメディア伝送サービスを選択することが可能となる。
【００１７】
また、本発明の通信装置は、通信部が、通信媒体に接続されてパケット交換による通信を行うパケット交換通信部と、通信媒体に接続されて回線交換による通信を行う回線交換通信部とを有する構成を有している。
【００１８】
この構成により、通信状況監視部が、動的に変化するパケット交換通信部や回線交換通信部の使用状況を逐次把握することが可能となり、ユーザの加入サービス利用情報を基に、マルチメディア伝送サービス提供者が提供する多様なベアラによるマルチメディア伝送サービスの中から、最適なマルチメディア伝送サービスを選択することが可能となる。
【００１９】
また、本発明の通信装置は、通信状況監視部が、パケット交換通信部または回線交換通信部の使用による課金状況、またはパケット交換通信部の使用によるパケット使用状況を監視する構成を有している。
【００２０】
この構成により、通信状況監視部が、動的に変化する課金状況やパケット使用状況を逐次把握することが可能となり、ユーザの加入サービス利用情報を基に、マルチメディア伝送サービス提供者が提供する多様なベアラによるマルチメディア伝送サービスの中から、最適なマルチメディア伝送サービスを選択することが可能となる。
【００２１】
また、本発明の通信装置は、サービス利用情報が、ユーザの課金状況またはパケット使用状況である構成を有している。
【００２２】
この構成により、通信端末が動的に変化する課金状況やパケット使用状況を逐次把握することが可能となり、ユーザの加入サービス利用情報および現在の課金・パケットの積算値を基に、マルチメディア伝送サービス提供者が提供する多様なベアラによるマルチメディア伝送サービスの中から、最適なマルチメディア伝送サービスを選択または変更することが可能となる。
【００２３】
さらに、本発明の通信装置は、マルチメディア伝送サービスの提供を要求する他の通信装置からのマルチメディア伝送要求に基づいて、マルチメディア伝送サービスの提供方法を決定するマルチメディア伝送方法決定部と、マルチメディア伝送方法決定部で決定されたマルチメディア伝送方法により、要求されたマルチメディア伝送サービスを通信媒体を介して他の通信装置に伝送するマルチメディア伝送部と、他の通信装置と通信媒体を介して通信を行う通信部とを備えた構成を有している。
【００２４】
この構成により、他の通信装置からのマルチメディア伝送要求に基づいてマルチメディア伝送サービス提供者が提供する多様なベアラによるマルチメディア伝送サービスの中から、最適なマルチメディア伝送サービスを選択することが可能となる。
【００２５】
また、本発明の通信装置は、他の通信装置からのマルチメディア伝送要求が、他の通信装置内の他の通信部の使用状況に応じて要求される、マルチメディア伝送サービスの提供方法の変更の要求を含む構成を有している。
【００２６】
この構成により、他の通信装置が、動的に変化する他の通信部の使用状況を逐次把握して、その結果に応じたマルチメディア伝送サービスの要求に対して、マルチメディア伝送サービスを提供できる。
【００２７】
また、本発明の通信装置は、マルチメディア伝送部が、伝送すべき伝送情報を保存した伝送情報保存部を有し、情報保存部に保存された伝送情報が、通信部および通信媒体を介して他の通信装置に伝送される構成を有している。
【００２８】
この構成により、他の通信装置からのマルチメディア伝送要求に基いて、情報保存部に保存された伝送情報を他の通信装置に伝送できる。
【００２９】
また、本発明の通信装置は、通信部が、通信媒体に接続されてパケット交換による通信を行うパケット交換通信部と、通信媒体に接続されて回線交換による通信を行う回線交換通信部とを有する構成を有している。
【００３０】
この構成により、他の通信装置が、動的に変化する通信部のパケット交換と回線交換とを用いて、使用状況を逐次把握して、その結果に応じたマルチメディア伝送サービスの要求に対して、マルチメディア伝送サービスを提供できる。
【００３１】
また、本発明の通信装置は、他の通信装置が、他の通信部の使用状況を監視する通信状況監視部を有し、マルチメディア伝送要求が、通信状況監視部での監視結果に応じて要求される構成を有している。
【００３２】
この構成により、通信状況監視部が、動的に変化する他の通信部の使用状況を逐次把握することが可能となり、マルチメディア伝送サ−ビス要求部からの要求に応じて、マルチメディア伝送サービス提供者が提供する多様なベアラによるマルチメディア伝送サービスの中から、最適なマルチメディア伝送サービスを選択することが可能となる。
【００３３】
また、本発明の通信装置は、他の通信装置が、通信媒体を介してマルチメディア伝送サービスの提供を受けるに際しての、ユーザの通信媒体の利用に関するサービス利用情報を入手するサービス利用情報入手部を有し、マルチメディア伝送要求が、サービス利用情報入手部で入手したサービス利用情報に基いて要求される構成を有している。
【００３４】
この構成により、通信端末が動的に変化する他の通信部の使用状況を逐次把握することが可能となり、ユーザの加入サービス利用情報を基に、マルチメディア伝送サービス提供者が提供する多様なベアラによるマルチメディア伝送サービスの中から、最適なマルチメディア伝送サービスを選択することが可能となる。
【００３５】
また、本発明の通信装置は、他の通信部が、通信媒体に接続されてパケット交換による通信を行うパケット交換通信部と、通信媒体に接続されて回線交換による通信を行う回線交換通信部とを有する構成を有している。
【００３６】
この構成により、他の通信装置が、動的に変化する他の通信部であるパケット交換通信部や回線交換通信部の使用状況を逐次把握することが可能となり、マルチメディア伝送サービス要求部からの要求に応じて、マルチメディア伝送サービス提供者が提供する多様なベアラによるマルチメディア伝送サービスの中から、最適なマルチメディア伝送サービスを選択することが可能となる。
【００３７】
また、本発明の通信装置は、他の通信部が、通信媒体に接続されてパケット交換による通信を行うパケット交換通信部と、通信媒体に接続されて回線交換による通信を行う回線交換通信部とを有し、通信状況監視部が、パケット交換通信部または回線交換通信部の使用による課金状況、またはパケット交換通信部の使用によるパケット使用状況を監視する構成を有している。
【００３８】
この構成により、通信状況監視部が、動的に変化する課金状況やパケット使用状況を逐次把握することが可能となり、マルチメディア伝送サービス要求部からの要求に応じて、マルチメディア伝送サービス提供者が提供する多様なベアラによるマルチメディア伝送サービスの中から、最適なマルチメディア伝送サービスを選択することが可能となる。
【００３９】
また、本発明の通信装置は、他の通信部が、通信媒体に接続されてパケット交換による通信を行うパケット交換通信部と、通信媒体に接続されて回線交換による通信を行う回線交換通信部とを有し、通信状況監視部が、パケット交換通信部または回線交換通信部の使用による課金状況、またはパケット交換通信部の使用によるパケット使用状況を監視し、サービス利用情報が、ユーザの課金状況またはパケット使用状況である構成を有している。
【００４０】
この構成により、通信状況監視部が、動的に変化する課金状況やパケット使用状況を逐次把握することが可能となり、ユーザが加入している現在の課金状況やパケット状況を基に、マルチメディア伝送サービス提供者が提供する多様なベアラによるマルチメディア伝送サービスの中から、最適なマルチメディア伝送サービスを選択することが可能となる。
【００４１】
さらに、本発明の通信装置は、通信媒体を介してマルチメディア伝送サービスを他の通信装置に提供するに際しての、ユーザの通信媒体の利用に関するサービス利用情報を入手するサービス利用情報入手部と、通信媒体を介して他の通信装置と通信を行う通信部と、通信部の使用状況を監視する通信状況監視部と、他の通信装置にマルチメディア伝送サービスの提供を行うに際しての、マルチメディア伝送サービスの提供方法を決定するマルチメディア伝送方法決定部と、通信状況監視部での監視結果情報に基いて、他の通信装置に対して、マルチメディア伝送サービスの提供方法の変更を要求するマルチメディア伝送サービス変更要求部とを備えた構成を有している。
【００４２】
この構成により、通信状況監視部が、動的に変化する通信部の使用状況を逐次把握することが可能となり、ユーザの加入サービス利用情報を基に、提供する多様なベアラによるマルチメディア伝送サービスの中から、最適なマルチメディア伝送サービスを選択することが可能となる。
【００４３】
また、本発明の通信装置は、通信部が、通信媒体に接続されてパケット交換による通信を行うパケット交換通信部と、通信媒体に接続されて回線交換による通信を行う回線交換通信部とを有する構成を有している。
【００４４】
この構成により、通信状況監視部が、動的に変化するパケット交換通信部や回線交換通信部の状況を逐次把握することが可能となり、ユーザの加入サービス利用情報を基に、提供する多様なベアラによるマルチメディア伝送サービスの中から、最適なマルチメディア伝送サービスを選択することが可能となる。
【００４５】
また、本発明の通信装置は、通信状況監視部が、パケット交換通信部または回線交換通信部の使用による課金状況、またはパケット交換通信部の使用によるパケット使用状況を監視する構成を有している。
【００４６】
この構成により、通信状況監視部が、動的に変化する課金状況やパケット使用状況を逐次把握することが可能となり、ユーザの加入サービス利用情報を基に、提供する多様なベアラによるマルチメディア伝送サービスの中から、最適なマルチメディア伝送サービスを選択することが可能となる。
【００４７】
また、本発明の通信装置は、サービス利用情報が、ユーザの課金状況またはパケット使用状況である構成を有している。
【００４８】
この構成により、通信端末が動的に変化する課金状況やパケット使用状況を逐次把握することが可能となり、ユーザの加入サービス利用情報および現在の課金・パケットの積算値を基に、提供する多様なベアラによるマルチメディア伝送サービスの中から、最適なマルチメディア伝送サービスを選択または変更することが可能となる。
【００４９】
さらに、本発明の通信装置は、通信媒体を介してマルチメディア伝送サービスの提供を受けるに際しての、ユーザの通信媒体の利用に関するサービス利用情報を入手するサービス利用情報入手部と、サービス利用情報入手部で入手したサービス利用情報に基いて、提供を受けるマルチメディア伝送サービスの要求条件を作成するマルチメディア伝送サービス要求条件作成部と、マルチメディア伝送サービス要求条件作成部で作成した要求条件を、マルチメディア伝送サービスを提供する他の通信装置に対して送信するマルチメディア伝送サービス要求部と、通信媒体を介して他の通信装置と通信を行う通信部とを備えた構成を有している。
【００５０】
この構成により、動的に変化する通信部の使用状況に基いてマルチメディア伝送サービスの要求条件を作成することができ、ユーザの加入サービス利用情報を基に、マルチメディア伝送サービス提供者が提供する多様なベアラによるマルチメディア伝送サービスの中から、最適なマルチメディア伝送サービスを選択することが可能となる。
【００５１】
また、本発明の通信装置は、通信部が、通信媒体に接続されてパケット交換による通信を行うパケット交換通信部と、通信媒体に接続されて回線交換による通信を行う回線交換通信部とを有する構成を有している。
【００５２】
この構成により、マルチメディア伝送サービス要求条件作成部が、動的に変化するパケット交換通信部や回線交換通信部の使用状況を逐次把握した結果に基いて、マルチメディア伝送サービス要求条件を作成でき、ユーザの加入サービス利用情報を基に、マルチメディア伝送サービス提供者が提供する多様なベアラによるマルチメディア伝送サービスの中から、最適なマルチメディア伝送サービスを選択することが可能となる。
【００５３】
また、本発明の通信装置は、他の通信装置が、パケット交換通信部または回線交換通信部の使用による課金状況、またはパケット交換通信部の使用によるパケット使用状況を監視する構成を有している。
【００５４】
この構成により、他の通信装置が、動的に変化する課金状況やパケット使用状況を逐次把握することが可能となり、ユーザの加入サービス利用情報を基に、マルチメディア伝送サービス提供者が提供する多様なベアラによるマルチメディア伝送サービスの中から、最適なマルチメディア伝送サービスを選択することが可能となる。
【００５５】
また、本発明の通信装置は、サービス利用情報が、ユーザの課金状況またはパケット使用状況である構成を有している。
【００５６】
この構成により、他の通信装置が、動的に変化する課金状況やパケット使用状況を逐次把握することが可能となり、ユーザの加入サービス利用情報および現在の課金・パケットの積算値を基に、マルチメディア伝送サービス提供者が提供する多様なベアラによるマルチメディア伝送サービスの中から、最適なマルチメディア伝送サービスを選択または変更することが可能となる。
【００５７】
さらに、本発明の通信装置は、マルチメディア伝送サービスの提供を要求する他の通信装置からのマルチメディア伝送要求に基づいて、マルチメディア伝送サービスの提供方法を決定するマルチメディア伝送方法決定部と、マルチメディア伝送方法決定部で決定されたマルチメディア伝送方法により、要求された伝送すべき伝送情報を通信媒体を介して他の通信装置に伝送するマルチメディア伝送部と、通信媒体を介して他の通信装置と通信を行う通信部と、通信部の使用状況を監視する通信状況監視部と、通信状況監視部での監視結果情報に基いて、マルチメディア伝送要求に応じて、マルチメディア伝送サービスの提供方法を変更するマルチメディア伝送方法変更部とを備えた構成を有している。
【００５８】
この構成により、通信状況監視部が、動的に変化する通信部の使用状況を逐次把握することが可能となり、通信状況監視部での監視結果によって作成されたマルチメディア伝送サービス要求を基に、マルチメディア伝送サービス提供者が提供する多様なベアラによるマルチメディア伝送サービスの中から、最適なマルチメディア伝送サービスを選択することが可能となる。
【００５９】
また、本発明の通信装置は、通信部が、通信媒体に接続されてパケット交換による通信を行うパケット交換通信部と、通信媒体に接続されて回線交換による通信を行う回線交換通信部とを有する構成を有している。
【００６０】
この構成により、通信状況監視部が、動的に変化するパケット交換通信部や回線交換通信部の使用状況を逐次把握することが可能となり、通信状況監視部での監視結果によって作成されたマルチメディア伝送サービス要求を基に、マルチメディア伝送サービス提供者が提供する多様なベアラによるマルチメディア伝送サービスの中から、最適なマルチメディア伝送サービスを選択することが可能となる。
【００６１】
また、本発明の通信装置は、通信状況監視部が、パケット交換通信部または回線交換通信部の使用による課金状況、またはパケット交換通信部の使用によるパケット使用状況を監視する構成を有している。
【００６２】
この構成により、通信状況監視部が、動的に変化する課金状況やパケット使用状況を逐次把握することが可能となり、通信状況監視部での監視結果によって作成されたマルチメディア伝送サービス要求を基に、マルチメディア伝送サービス提供者が提供する多様なベアラによるマルチメディア伝送サービスの中から、最適なマルチメディア伝送サービスを選択することが可能となる。
【００６３】
また、本発明の通信装置は、他の通信装置が、通信媒体を介してマルチメディア伝送サービスの提供を受けるに際しての、ユーザの通信媒体の利用に関するサービス利用情報を入手するサービス利用情報入手部を有し、マルチメディア伝送要求が、サービス利用情報入手部で入手したサービス利用情報に基いて要求される構成を有している。
【００６４】
この構成により、通信状況監視部が、動的に変化する通信部の使用状況を逐次把握することが可能となり、他の通信装置がサービス利用情報入手部で入手したサービス利用情報および通信状況監視部での監視結果によって作成されたマルチメディア伝送サービス要求に応じて、マルチメディア伝送サービス提供者が提供する多様なベアラによるマルチメディア伝送サービスの中から、最適なマルチメディア伝送サービスを選択することが可能となる。
【００６５】
また、本発明の通信装置は、通信部が、通信媒体に接続されてパケット交換による通信を行うパケット交換通信部と、通信媒体に接続されて回線交換による通信を行う回線交換通信部とを有し、通信状況監視部が、パケット交換通信部または回線交換通信部の使用による課金状況、またはパケット交換通信部の使用によるパケット使用状況を監視し、サービス利用情報が、ユーザの課金状況またはパケット使用状況である構成を有している。
【００６６】
この構成により、通信状況監視部が動的に変化する課金状況やパケット使用状況を逐次把握することが可能となり、ユーザの加入サービス利用情報および現在の課金・パケットの積算値を基に作成されたマルチメディア伝送要求に応じて、マルチメディア伝送サービス提供者が提供する多様なベアラによるマルチメディア伝送サービスの中から、最適なマルチメディア伝送サービスを選択または変更することが可能となる。
【発明の効果】
【００６７】
本発明の通信装置は、通信媒体を介してマルチメディア伝送サービスの提供を受けるに際しての、ユーザの通信媒体の利用に関するサービス利用情報を入手するサービス利用情報入手部と、マルチメディア伝送サービスを提供するマルチメディア伝送サービス提供装置と通信媒体を介して通信を行う通信部と、通信部の使用状況を監視する通信状況監視部と、サービス利用情報入手部で入手したサービス利用情報または通信監視部での監視結果情報に基いて、マルチメディア伝送サービス提供装置に対して、マルチメディア伝送サービスの提供を要求するマルチメディア伝送サ−ビス要求部とを備えた構成を有することにより、多様化するユーザのキャリアサービス加入状況および課金状況の変化に応じて、最適なマルチメディア伝送サービスの受信や相手通信端末との双方向コミュニケーションを行う通信端末および通信サーバなどの通信装置を提供することができる。
【発明を実施するための最良の形態】
【００６８】
以下、本発明の実施の形態について、図面を参照して詳細に説明する。
【００６９】
（実施の形態１）
図１は本発明の実施の形態１における通信システムの構成を示すブロック図である。
【００７０】
図１に示す通信システムは、ユーザが使用する通信装置としての通信端末１０１と、ユーザが加入するキャリアサービスの情報を管理するユーザ情報管理サーバ１０９と、各種マルチメディアの伝送サービスを提供する通信サーバ１１４とを通信媒体としてのモバイルネットワーク１２０で繋いで構成される。
【００７１】
すなわち、本実施の形態では、マルチメディア伝送サービス提供装置は、ユーザ情報管理サーバ１０９と通信サーバ１１４とで構成される。
【００７２】
通信端末１０１は、通信端末全体制御手段１０２、加入サービス利用情報問い合わせ手段１０３、マルチメディア伝送サービス要求手段１０４、通信状況監視部としての課金状況監視手段１０５およびパケット状況監視手段１０６、通信部としての回線交換通信手段１０７およびパケット交換通信手段１０８を有している。
【００７３】
通信端末全体制御手段１０２は、加入サービス利用情報問い合わせ手段１０３、マルチメディア伝送サービス要求手段１０４、課金状況監視手段１０５、パケット状況監視手段１０６、回線交換通信手段１０７およびパケット交換通信手段１０８を統括制御する。
【００７４】
加入サービス利用情報問い合わせ手段１０３は、ユーザのモバイルネットワーク１２０の利用に関するサービス利用情報を入手するサービス利用情報入手部を構成しており、パケット交換通信手段１０８を用い、ユーザ情報管理サーバ１０９に対し、通信端末１０１が加入しているキャリア加入サービス利用情報の問い合わせを行う。
【００７５】
マルチメディア伝送サービス要求手段１０４は、パケット交換通信手段１０８を用い、通信サーバ１１４に対し、マルチメディア伝送サービスの要求または変更要求を行う。
【００７６】
通信状況監視部としての課金状況監視手段１０５は、回線交換通信手段１０７およびパケット交換通信手段１０８による通信を監視することで、課金状況を把握する。
【００７７】
同じく通信状況監視部としてのパケット状況監視手段１０６は、パケット交換通信手段１０８によるパケット通信を監視することで、パケット状況を把握する。
【００７８】
通信部としての回線交換通信手段１０７はモバイルネットワーク１２０に接続されて、回線交換による通信を行う。
【００７９】
同じく通信部としてのパケット交換通信手段１０８はモバイルネットワーク１２０に接続されて、パケット交換による通信を行う。
【００８０】
モバイルネットワーク１２０は、例えば、Ｗ−ＣＤＭＡ（Wideband-Code Division Multiple Access）、ＰＤＣ（Personal Digital Cellular）、ＧＳＭ（Global System for Mobile Communications）などのモバイル公衆網から構成される。
【００８１】
ユーザ情報管理サーバ１０９は、ユーザ情報管理サーバ全体制御手段１１０、加入サービス利用情報取得手段１１１、ユーザ加入サービス利用情報ＤＢ１１２および通信手段１１３を有している。
【００８２】
ユーザ情報管理サーバ全体制御手段１１０は、加入サービス利用情報取得手段１１１および通信手段１１３を統括制御する。
【００８３】
加入サービス利用情報取得手段１１１は、ユーザ加入サービス利用情報が蓄積されているユーザ加入サービス利用情報ＤＢ（Ｄａｔａ  Ｂａｓｅ）１１２から、指定されたユーザの加入サービス利用情報を取得する。
【００８４】
通信手段１１３は、モバイルネットワーク１２０に接続されて、回線交換またはパケット交換により通信を行う。
【００８５】
通信サーバ１１４は、通信サーバ全体制御手段１１５、回線交換通信手段１１６、パケット交換通信手段１１７、マルチメディア伝送サービス提供方法決定手段１１８およびコンテンツ情報ＤＢ１１９を有している。
【００８６】
通信サーバ全体制御手段１１５は、回線交換通信手段１１６、パケット交換通信手段１１７およびマルチメディア伝送サービス提供方法決定手段１１８を統括制御する。
【００８７】
通信部としての回線交換通信手段１１６は、モバイルネットワーク１２０に接続されて、回線交換による通信を行う。
【００８８】
同じく通信部としてのパケット交換通信手段１１７は、モバイルネットワーク１２０に接続されて、パケット交換による通信を行う。
【００８９】
マルチメディア伝送方法決定部としてのマルチメディア伝送サービス提供方法決定手段１１８は、映像や音声などのマルチメディア情報が蓄積されている、伝送情報保存部としてのコンテンツ情報ＤＢ１１９からユーザに対してサービス提供を行う方法を決定する。
【００９０】
本実施の形態では、マルチメディア伝送部は、主にコンテンツ情報ＤＢ１１９によって構成される。
【００９１】
つぎに、図１における通信システムの動作について、図２、図３のシーケンス図および図４のデータ構造図を用いて説明する。
【００９２】
なお、本実施の形態においては、マルチメディア伝送サービスとして、映像伝送サービスを扱い、この映像伝送サービスの提供方法の変更を要求する映像伝送サービス変更要求を送信するための閾値としては、限界パケット数の超過を用い、パケット交換による映像伝送サービスから回線交換による映像伝送サービスへサービス提供方法を変更するケースについて説明する。
【００９３】
まず、図２、図３において、通信端末１０１内で、通信端末全体制御手段１０２の制御により、次の動作が実行される（以下、通信端末全体制御手段１０２の動作についての説明は省略する）。
【００９４】
加入サービス利用情報問い合わせ手段１０３がパケット交換通信手段１０８に加入サービス問い合わせ要求２０１の指示を行うと、パケット交換通信手段１０８は、ユーザ情報管理サーバ１０９の通信手段１１３に対し、加入サービス問い合わせ要求２０２を送信する。
【００９５】
ユーザ情報管理サーバ１０９内では、ユーザ情報管理サーバ全体制御手段１１０の制御により、次の動作が実行される（以下、通信端末全体制御手段１０２の動作についての説明は省略する）。
【００９６】
通信手段１１３により、加入サービス問い合わせ要求を受信し、加入サービス利用情報取得手段１１１に対して、加入サービス問い合わせ要求２０３を行う。
【００９７】
加入サービス利用情報取得手段１１１は、ユーザ加入サービス利用情報ＤＢ１１２からユーザの加入サービス利用情報を取得し（加入サービス取得２０４）、通信手段１１３に要求応答２０５を送信する。
【００９８】
これを受けて通信手段１１３は、通信端末１０１のパケット交換通信手段１０８に対し、要求応答２０６を送信する。
【００９９】
ここで取得する加入サービス利用情報は、ユーザが加入しているキャリアのサービス利用情報であり、料金プラン、パケットプラン、残無料通話時間、今月の課金時間等、あらゆる課金・パケットに関する個人情報を指す。
【０１００】
通信端末１０１の加入サービス利用情報問い合わせ手段１０３は、パケット交換通信手段１０８を介して、加入サービス問い合わせ要求２０１に対する要求応答２０７を受信し、加入サービス通知２０８をマルチメディア伝送サービス要求手段１０４に通知する。
【０１０１】
ユーザはマルチメディア伝送サービス要求手段１０４により、加入サービス通知２０８の結果を基に映像伝送サービスの品質・ベアラを決定し、マルチメディア伝送サービス要求手段１０４は、パケット交換通信手段１０８に伝送サービス要求２０９を送信し、パケット交換通信手段１０８は通信サーバ１１４のパケット交換通信手段１１７に対し、映像伝送サービス要求２１２を送信する。
【０１０２】
ここでユーザが要求する映像伝送サービスの品質・ベアラ等の決定は、現時点でのユーザの課金・パケットに関する情報と、通信サーバ１１４が提供する映像伝送サービスの種類に基づいて行われる。通信サーバ１１４が提供する映像伝送サービスの種類は、あらかじめユーザが通信サーバ１１４に問い合わせるなどして、通信端末１０１が既に認識しているものとする。
【０１０３】
図４Ａ、Ｂは映像伝送サービスの品質・ベアラ等の決定に利用するデータ構造の一例を示す図である。図４Ａにおけるデータ構造３０１は、キャリアの各種サービス利用情報をベアラごとに整理したデータ構造であって、キャリアのサービス利用情報とベアラの組み合わせ毎に条件番号を設定している。図３Ｂにおけるデータ構造３０２は、データ構造３０１から導き出された条件を基に、通信サーバ１１４が提供する映像伝送サービスの種別の中からどのベアラのサービスを選択するかを決定するデータ構造であって、例えば、ユーザの状況がデータ構造３０１の条件［４］に該当する場合、映像伝送サービスの種別［Ｃ］が選択されることになる。
【０１０４】
ユーザは図４Ａおよび図４Ｂのデータ構造３０１、３０２から所望の品質およびベアラを選択する。本実施の形態では、現時点で、初期状態としてサービス種別［Ｃ］（パケット交換：低品質）が選択されたものとして説明を進める。
【０１０５】
図２に戻り、通信サーバ１１４は、通信サーバ全体制御手段１１５の制御により、次の動作が実行される（以下、通信サーバ全体制御手段１１５の動作についての説明は省略する）。
【０１０６】
パケット交換通信手段１１７で、映像伝送サービス要求２１２を受信し、マルチメディア伝送サービス提供方法決定手段１１８に対して、映像伝送サービス要求２１３を行う。
【０１０７】
次に、マルチメディア伝送サービス提供方法決定手段１１８により、映像伝送サービス要求２１３に付随する図４Ｂに示すベアラ・品質情報を基に、コンテンツ情報ＤＢ１１９から提供する映像伝送サービスを決定（サービス提供方法決定２１４）し、決定した内容をパケット交換通信手段１１７に要求応答２１５として送信する。
【０１０８】
次に、パケット交換通信手段１１７は、通信端末１０１のパケット交換通信手段１０８に対し、要求応答２１６を送信する。
【０１０９】
通信端末１０１は、パケット交換通信手段１０８により、映像伝送サービス要求２１２に対する要求応答２１６を受信し、マルチメディア伝送サービス要求手段１０４に要求応答２１７を送信する。
【０１１０】
その後、通信端末１０１と通信サーバ１１４の間で、パケット交換によるネゴシエーション２１８が行われ、パケット交換による映像伝送サービスが開始される。パケット交換ネゴシエーション２１８に関しては、その手段は問わないため詳細説明は省略する。
【０１１１】
ところで、通信端末１０１は、マルチメディア伝送サービス要求手段１０４からの映像伝送サービス要求２０９の送信に基づいてパケット交換通信手段１０８が映像伝送サービス要求２１２を通信サーバに送信した後は、マルチメディア伝送サービス要求手段１０４は、課金状況監視手段１０５に対し課金状況監視開始２１０を、パケット状況監視手段１０６に対しパケット状況監視開始２１１をそれぞれ送信し、課金状況監視手段１０５により回線交換通信手段１０７およびパケット交換通信手段１０８を監視することで課金状況の監視を、パケット状況監視手段１０６によりパケット交換通信手段１０８を監視することでパケット状況の監視を開始する。
【０１１２】
課金状況監視手段１０５およびパケット状況監視手段１０６は、パケット交換による映像伝送サービスによるパケット状況をユーザ情報管理サーバ１０９から受信した加入サービス利用情報を基にした閾値、たとえば、プラン上、パケット数が増加して料金の恩恵をうけない状態（無料通話が切れた状態など）と比較する。  パケット交換による映像伝送サービスのパケット状況がこの閾値を超えた場合、通信端末１０１は、パケット状況監視手段１０６により、パケット状況変化通知２１９をマルチメディア伝送サービス要求手段１０４に送信する。
【０１１３】
マルチメディア伝送サービス要求手段１０４は、図４Ａに示すデータ構造３０１に基いて、パケットプランによる限界パケット数を超え、無料通話を超えた状況を判断し、すなわち、条件が［４］から［２］へ変わったことを判断して、図４Ｂに示すデータ構造３０２に基づいて、映像伝送サービスの種別［Ｄ］（回線交換）を選択する。そして、マルチメディア伝送サービス要求手段１０４は、通信サーバ１１４に対し、パケット交換通信手段１０８を介して、［Ｃ］から［Ｄ］への映像伝送サービス変更要求２２０、２２１を送信する。
【０１１４】
通信サーバ１１４は、パケット交換通信手段１１７により、映像伝送サービス変更要求２２１を受信し、マルチメディア伝送サービス提供方法決定手段１１８に対して、映像伝送サービス変更要求２２２を行なう。マルチメディア伝送サービス提供方法決定手段１１８は、映像伝送サービス要求２２２に付随する図４Ｂに示すベアラ・品質情報を基に、コンテンツ情報ＤＢ１１９から変更する映像伝送サービスを決定（サービス提供方法決定２２３）し、通信端末１０１に対し、パケット交換通信手段１１７を介して、要求応答２２４、２２５を送信する。
【０１１５】
通信端末１０１のマルチメディア伝送サービス要求手段１０４は、パケット交換通信手段１０８を介して、映像伝送サービス変更要求２２０に対する要求応答２２６を受信する。
【０１１６】
その後、通信端末１０１と通信サーバ１１４の間で、回線交換によるネゴシエーション２２７が行われ、回線交換による映像伝送サービスが開始される。回線交換ネゴシエーション２２７に関しては、その手段は問わないため詳細説明は省略する。
【０１１７】
以上のように、実施の形態１では、通信端末１０１が、キャリアの提供する多様な加入サービス利用情報を基に、ユーザ個々の課金状況・パケット状況を把握し、この情報を基に、動的に変化する課金・パケット状況を監視することで、多様なベアラによる映像伝送サービスの中から、ユーザに最適な映像伝送サービスを選択または変更することが可能となる。
【０１１８】
なお、本実施の形態ではパケット交換による映像伝送サービスから、回線交換による映像伝送サービスへの変更に関して説明したが、あるベアラ（または品質）から異なるベアラ（または品質）のマルチメディア伝送サービスへ変更すること可能である。
【０１１９】
さらに、本実施の形態では、加入サービス利用情報からデータ構造３０１のような５つの条件に分類し、当てはまる条件に従って映像伝送サービスの要求または変更要求を行ったが、今後の加入サービスの変更に伴い、条件を導出するデータ構造を変更し、多様なベアラによるマルチメディア伝送サービスの中からユーザに最適なマルチメディア伝送サービスを選択または変更するようにしても良い。
さらに、本実施の形態では、課金状況とパケット状況を監視し、その変化に応じて映像伝送サービスを要求または変更要求を行ったが、マルチメディア伝送サービス要求または変更要求を導き出すデータ構造の変更条件の変更に伴い、その変更条件にあった状況を監視するようにしても良い。
【０１２０】
さらに、本実施の形態では、多様なベアラにより提供される映像伝送サービスに関して説明を行ったが、映像伝送サービスだけではなく、音声サービスをはじめとする多様なベアラを用いるマルチメディア伝送サービスへも適用することができる。
【０１２１】
なお、本実施の形態では、通信サーバ１１４から通信端末１０１へ映像伝送サービスを提供するケースに関して説明を行ったが、他の通信端末に通信サーバと同じ構成を持たせることで、この通信サーバと同様の構成を有する通信端末から、例えば、本実施の形態のサービスを受信する通信端末１０１へマルチメディア伝送サービスを提供することができ、本実施の形態と同様の効果が得られる。
【０１２２】
したがって、本実施の形態では、サービス提供側通信端末からサービス受信側通信端末へ映像伝送サービスを提供するという、端末と端末の間の通信の流れとして片方向に関してのみ説明を行ったが、サービス提供側通信端末内にサービス受信側通信端末の構成を加え、サービス受信側通信端末にサービス提供側通信端末の構成を加えることで、双方向のマルチメディア伝送サービスを提供、すなわちテレビ電話や音声電話を実現することができ、そのようなケースにおいても本実施の形態と同様の効果が得られる。
【０１２３】
（実施の形態２）
図５は本発明の実施の形態２における通信システムの構成を示すブロック図である。
【０１２４】
本実施の形態の通信システムは、サービスを受信するユーザが使用する、通信装置としての第１の通信端末４０１と、ユーザが加入するキャリアサービスのユーザ情報管理サーバ４１３、およびサービスを提供する、通信装置としての第２の通信端末４０６を通信媒体としてのモバイルネットワーク４１８で繋いで構成される。
【０１２５】
第１の通信端末４０１は、第１の通信端末全体制御手段４０２、通信部としての回線交換通信手段４０３およびパケット交換通信手段４０４、マルチメディア伝送サービス応答手段４０５を有している。
【０１２６】
第１の通信端末全体制御手段４０２は、回線交換通信手段４０３、パケット交換通信手段４０４、マルチメディア伝送サービス応答手段４０５を統括制御する。
【０１２７】
回線交換通信手段４０３、パケット交換通信手段４０４、マルチメディア伝送サービス応答手段４０５は、第１の通信端末全体制御手段４０２の制御により動作されるので、以下の説明では、第１の通信端末全体制御手段４０２の動作説明は省略する。
【０１２８】
回線交換通信手段４０３は、モバイルネットワーク４１８に接続されて、回線交換による通信を行う。
【０１２９】
パケット交換通信手段４０４はモバイルネットワーク４１８に接続されて、パケット交換による通信を行う。
【０１３０】
マルチメディア伝送サービス応答手段４０５は、パケット交換通信手段４０４を用い、第２の通信端末４０６に対し、マルチメディア伝送サービス要求に対する応答メッセージを送信する。
【０１３１】
第２の通信端末４０６は、第２の通信端末全体制御手段４０７、サービス利用状況入手部としての加入サービス利用情報問い合わせ手段４０８、マルチメディア伝送方法決定部としてのマルチメディア伝送サービス提供方法決定手段４０９、伝送情報保存部としてのコンテンツ情報ＤＢ４１０、通信部としての回線交換通信手段４１１およびパケット交換通信手段４１２、マルチメディア伝送サービス変更要求手段４１４を有している。
【０１３２】
第２の通信端末全体制御手段４０７は、加入サービス利用情報問い合わせ手段４０８，マルチメディア伝送サービス提供方法決定手段４０９、回線交換通信手段４１１、パケット交換通信手段４１２を統括制御する。
【０１３３】
加入サービス利用情報問い合わせ手段４０８，マルチメディア伝送サービス提供方法決定手段４０９、回線交換通信手段４１１、パケット交換通信手段４１２、マルチメディア伝送サービス変更手段４１４は、第２の通信端末全体制御手段４０７の制御により動作されるので、以下の説明では、第２の通信端末全体制御手段４０７の動作説明は省略する。
【０１３４】
加入サービス利用情報問い合わせ手段４０８は、パケット交換通信手段４１２を用い、ユーザ情報管理サーバ４１３に対し、第２の通信端末４０６が加入しているキャリア加入サービス利用情報の問い合わせを行う。
【０１３５】
マルチメディア伝送サービス提供方法決定手段４０９は、映像や音声などのマルチメディア情報が蓄積されているコンテンツ情報ＤＢ４１０から、ユーザに対して、サービス提供を行う方法を決定する。
【０１３６】
また、マルチメディア伝送サービス提供方法決定手段４０９は、回線交換通信手段４１１およびパケット交換通信手段４１２の使用による課金状況や、パケット交換通信手段４１２の使用状況を監視する通信状況監視部の機能も果たしている。
【０１３７】
回線交換通信手段４１１は、モバイルネットワーク４１８に接続されて、回線交換による通信を行う。
【０１３８】
パケット交換通信手段４１２は、モバイルネットワーク４１８に接続されて、パケット交換による通信を行う。
【０１３９】
マルチメディア伝送サービス変更要求手段４１４は、第１の通信端末４０１に対し、マルチメディア伝送サービスの変更要求を行う。
【０１４０】
図５におけるユーザ情報管理サーバ４１３の構成は、図１におけるユーザ情報管理サーバ１０９と同一である。
【０１４１】
つぎに、図５における通信システムの動作について、図６、図７のシーケンス図および図４Ａ、Ｂのデータ構造図を用いて説明する。
【０１４２】
なお、本実施の形態においては、実施の形態１と同様に、マルチメディア伝送サービスとして映像伝送サービスを扱い、映像伝送サービス変更を行うための閾値としては、限界パケット数の超過を用い、パケット交換による映像伝送サービスから回線交換による映像伝送サービスへ変更するケースについて説明する。
【０１４３】
図６、図７において、加入サービス問い合わせ要求５０１〜要求応答５０７の加入情報サービスを問い合わせる一連の流れは、図２における加入情報サービス問い合わせ要求２０１〜要求応答２０７の流れと同様であるので説明は省略する。
【０１４４】
第２の通信端末４０６は、受信した加入サービス利用情報を、加入サービス利用情報問い合わせ手段４０８を介して加入サービス通知５０８として、マルチメディア伝送サービス提供方法決定手段４０９に通知する。
【０１４５】
マルチメディア伝送サービス提供方法決定手段４０９は、加入サービス通知５０８の結果を基に、映像伝送サービスの品質・ベアラを決定し（サービス提供方法決定５０９）、パケット交換通信手段４１２に映像伝送サービス開始要求５１０を送信し、第１の通信端末４０１のパケット交換通信手段４０４に対し、映像伝送サービス開始要求５１１を送信する。
【０１４６】
ここで、提供する映像伝送サービスの品質・ベアラ等の決定は、現時点でのユーザの課金・パケットに関する情報と、第２の通信端末４０６が提供する映像伝送サービスの種類から行われる。
【０１４７】
図４Ａ、Ｂは映像伝送サービスの品質・ベアラ等の決定に利用するデータ構造の一例であり、実施の形態１で説明を行ったため、説明は省略する。
【０１４８】
ユーザは図４Ａおよび図４Ｂのデータ構造から所望の品質およびベアラを選択する。ここでは、実施の形態１と同様に、図３Ｂのサービス種別［Ｃ］（パケット交換：低品質）が選択されたものとして説明を進める。
【０１４９】
図５及び図６、図７に戻り、第１の通信端末４０１は、パケット交換通信手段４０４により、映像伝送サービス開始要求５１１を受信し、マルチメディア伝送サービス応答手段４０５に対して、映像伝送サービス開始要求５１２を送信する。
【０１５０】
マルチメディア伝送サービス応答手段４０５は、第２の通信端末４０６のパケット交換通信手段４１２に対し、パケット交換通信手段４０４を介して、要求応答５１３、５１４を送信し、パケット交換通信手段４１２は、マルチメディア伝送サービス提供方法決定手段４０９に、要求応答５１５を送信する。
【０１５１】
第２の通信端末４０６は、パケット交換通信手段４１２により、映像伝送サービス開始要求の要求応答５１４を受信すると、その後、第１の通信端末４０１と第２の通信端末４０６の間で、パケット交換によるネゴシエーション５１６が行われ、パケット交換による映像伝送サービスが開始される。すなわち、第２の通信端末４０６のコンテンツ情報ＤＢ４１０から映像伝送サービスが第１の通信端末に提供される。パケット交換ネゴシエーション５１６に関しては、その手段は問わないため詳細説明は省略する。
【０１５２】
ところで、第２の通信端末４０６は、マルチメディア伝送サービス提供方法決定手段４０９が、回線交換通信手段４１１およびパケット交換通信手段４１２の使用の状況を監視し、パケット交換による映像伝送サービスによる送信パケット数と、ユーザ情報管理サーバ４１３から受信した加入サービス利用情報を基にした閾値、たとえば、プラン上、パケット数が増加して料金の恩恵をうけない状態（無料通話が切れた状態など）と比較し、その閾値を超えた場合、第２の通信端末４０６は、マルチメディア伝送サービス提供方法決定手段４０９により、実施の形態１と同様にして、データ構造３０１およびデータ構造３０２から、サービス種別［Ｄ］（回線交換）が決定される（サービス提供方法決定５１７）。
【０１５３】
サービス種別が決定されると、第２の通信端末４０６のマルチメディア伝送サービス提供方法決定手段４０９は、第１の通信端末４０１のパケット交換通信手段４０４に対し、マルチメディア伝送サービス変更手段４１４およびパケット交換通信手段４１２を介して、映像伝送サービス変更要求５１８、５１９、５２０を送信する。
【０１５４】
第１の通信端末４０１は、パケット交換通信手段４０４により、映像伝送サービス変更要求５２０を受信し、マルチメディア伝送サービス応答手段４０５に対して、映像伝送サービス変更要求５２１を行なう。
【０１５５】
マルチメディア伝送サービス応答手段４０５は、第２の通信端末４０６のパケット交換通信手段４１２に対し、パケット交換通信手段４０４を介して、要求応答５２２、５２３を送信する。
【０１５６】
第２の通信端末４０６は、パケット交換通信手段４１２により、映像伝送サービス変更の要求応答５２３を受信し、マルチメディア伝送サービス提供方法決定手段４０９に要求応答５２４を送信する。
【０１５７】
その後、第１の通信端末４０１と第２の通信端末４０６の間で、回線交換によるネゴシエーション５２５が行われ、回線交換による映像伝送サービスが開始される。回線交換ネゴシエーション５２４に関しては、その手段は問わないため詳細説明は省略する。
【０１５８】
以上のように、本実施の形態では、第２の通信端末４０６が、マルチメディア伝送サービスを提供する機能を有し、キャリアの提供する多様な加入サービス利用情報を基に、ユーザ個々の課金状況・パケット状況を把握し、この情報を基に、多様なベアラによる映像伝送サービスの中から、映像伝送サービスを提供するユーザに最適な映像伝送サービスを選択または変更することが可能となる。
【０１５９】
すなわち、第２の通信端末４０６が、例えば携帯電話であって、コンテンツ情報ＤＢ４１０に、携帯端末の所有者の個人の画像やダウンロードした画像などのが蓄積されている場合に、これらを第１の通信端末４０１に、最適な映像伝送サービスを選択または変更して提供することができる。
【０１６０】
なお、本実施の形態ではパケット交換による映像伝送サービスから、回線交換による映像伝送サービスへの変更に関して説明したが、あるベアラ（または品質）から異なるベアラ（または品質）のマルチメディア伝送サービスへ変更すること可能である。
【０１６１】
さらに、本実施の形態では、加入サービス利用情報からデータ構造３０１のような５つの条件に分類し、当てはまる条件に従って映像伝送サービスの要求または変更要求を行ったが、今後の加入サービスの変更に伴い、条件を導出するデータ構造を変更し、多様なベアラによるマルチメディア伝送サービスの中からユーザに最適なマルチメディア伝送サービスを選択または変更するようにしても良い。
【０１６２】
さらに、本実施の形態では、課金状況とパケット状況に応じて映像伝送サービスを要求または変更要求を行ったが、マルチメディア伝送サービス開始要求または変更要求を導き出すデータ構造の変更条件の変更に伴い、その変更条件にあった状況を監視するようにしても良い。
【０１６３】
また、本実施の形態では、マルチメディア伝送サービス提供方法決定手段４０９は、回線交換通信手段４１１およびパケット交換通信手段４１２の使用による課金状況や、パケット交換通信手段４１２の使用状況を監視したが、本発明はこれに限らず、第１の通信端末４０１の回線交換通信手段４０３およびパケット交換通信手段４０４の使用による課金状況や、パケット交換通信手段４０４の使用状況を監視することによって、映像伝送サービス提供方法を変更することも可能である。
【０１６４】
さらに、本実施の形態では、多様なベアラにより提供される映像伝送サービスに関して説明を行ったが、映像伝送サービスだけではなく、音声サービスをはじめとする多様なベアラを用いるマルチメディア伝送サービスへも適用することができる。
【０１６５】
なお、本実施の形態では、第２の通信端末から第１の通信端末へ映像伝送サービスを提供するという、端末と端末の間の通信の流れとして片方向に関してのみ説明を行ったが、第２の通信端末４０６内に第１の通信端末４０１の構成を加え、第１の通信端末４０１に第２通信端末４０６の構成を加えることで、双方向のマルチメディア伝送サービスを提供、すなわちテレビ電話や音声電話を実現することができ、そのようなケースにおいても本実施の形態と同様の効果が得られる。
【０１６６】
（実施の形態３）
図８は、本発明の実施の形態３における通信システムの構成を示すブロック図である。
【０１６７】
図８において、図１と同一部分には同一符号を付して説明を省略する。
【０１６８】
図８における通信装置としての通信端末６０１は、図１に示す通信端末１の課金状況監視手段１０５およびパケット状況監視手段１０６を省略し、マルチメディア伝送サービス要求メッセージ作成手段６０２を設けている点で、図１に示す通信端末１とは異なる。
【０１６９】
マルチメディア伝送サービス要求メッセージ作成手段６０２は、サービス利用情報入手部としての加入サービス利用情報問い合わせ手段１０３により取得した加入サービス利用情報を基に、回線交換サービス、パケット交換サービスのそれぞれの条件に対し、サービスの可否・条件付き可否などを示す可否情報を付加してデータ構造に加工を行うものである。
【０１７０】
図８における通信サーバ６０４は、図１における通信サーバ１１４のマルチメディア伝送サービス提供方法決定手段１１８の代わりにマルチメディア伝送サービス提供方法決定・変更手段６０５を使用した点が異なる。
【０１７１】
マルチメディア伝送サービス提供方法決定・変更手段６０５は、ユーザに対してサービス提供を行う映像伝送サービスを決定し、または各ユーザのサービス提供指標に合わせてマルチメディア伝送サービスを変更するものである。
【０１７２】
さらに、マルチメディア伝送サービス提供方法決定・変更手段６０５は、回線交換通信手段１１６およびパケット交換通信手段１１７の使用による課金状況や、パケット交換通信手段１０８の使用状況を監視する通信状況監視部の機能も果たしている。
【０１７３】
図８におけるユーザ情報管理サーバ６０３は、図１におけるユーザ情報管理サーバ１０９と同一である。
【０１７４】
つぎに、図８における通信システムの動作について、図９に示すシーケンス図および図１０Ａ、Ｂのデータ構造図を用いて説明する。図８においては、実施の形態１と同様に、マルチメディア伝送サービスとして、映像伝送サービスを例に説明を行う。
【０１７５】
図９において、加入サービス問い合わせ要求７０１〜要求応答７０７の加入情報サービスを問い合わせる一連の流れは、図２における加入サービス問い合わせ要求２０１〜要求応答２０７の流れと同様であるので説明は省略する。
【０１７６】
通信端末６０１は、受信した加入サービスをマルチメディア伝送サービス要求メッセージ作成手段６０２に通知（加入サービス通知７０８）し、マルチメディア伝送サービス要求メッセージ作成手段６０２は、回線交換サービス、パケット交換サービスのそれぞれの条件に対し、加入サービス通知７０８を、その内容から判断してサービスの可否・条件付き可否などを示すデータ構造に加工（メッセージ作成７０９）し、完了したデータをマルチメディア伝送サービス要求手段１０４に送信（作成完了７１０）する。マルチメディア伝送サービス要求手段１０４は、パケット交換通信手段１０８を介して、通信サーバ６０４のパケット交換通信手段１１７に対し、映像伝送サービス要求７１１、７１２を送信する。
【０１７７】
図１０Ａ、Ｂに、メッセージ作成７０９により作成されるデータ構造の一例を示す。図１０Ａに示すデータ構造８０１は、加入サービス利用情報から回線交換サービス、パケット交換サービスのそれぞれの条件に対し、サービスの可否・条件付き可否などの可否情報を示すデータ構造である。
【０１７８】
図１０Ｂに示す判断情報８０２は、データ構造８０１のそれぞれの情報要素を導きだすための判断情報である。
【０１７９】
ここでは、ユーザが「パケット定額制に加入しておらず、ある決められたパケットまでは課金係数が低い料金プランに加入しており、無料通話分が残っている」という状況であるとし、前記情報を図１０Ｂの判断情報に照らし合わせ、『パケット定額制：未加入、料金プラン：ある決められたパケット数までは課金係数が低いプラン且つそのパケットまでは到達していない』という判断情報から、「パケットサービス提供：条件付きＯＫ」とし、『料金プラン：課金係数が低い、ある決められたパケット数まで残り○○パケット』という判断情報から、「パケットサービス提供条件：残り○○パケットまで」とし、『ユーザ選択』により、「限度を超えた場合：最低限のサービスへ変更」という情報であるとし、説明を進める。
【０１８０】
通信サーバ６０４は、パケット交換通信手段１１７により、映像伝送サービス要求７１２を受信し、マルチメディア伝送サービス提供方法決定・変更手段６０５に対して映像伝送サービス要求７１３を送信する。
【０１８１】
マルチメディア伝送サービス提供方法決定・変更手段６０５は、映像伝送サービス要求７１３に付随する図１０Ａに示すデータ構造８０１を基に、コンテンツ情報ＤＢ１１９から提供する映像伝送サービスを決定（サービス提供方法決定７１４）し、通信端末６０１のパケット交換通信手段１０８に対し、パケット交換通信手段１１７を介して、要求応答７１５、７１６を送信する。
【０１８２】
ここでは、データ構造８０１より、「パケットサービス提供」が選択されたものとして説明を進める。
【０１８３】
通信端末６０１は、パケット交換通信手段１０８により、映像伝送サービス要求７１２に対する要求応答７１６を受信し、マルチメディア伝送サービス要求手段１０４に要求応答７１７を送信する。
【０１８４】
その後、通信端末６０１と通信サーバ６０４の間で、パケット交換によるネゴシエーション７１８が行われ、パケット交換による映像伝送サービスが開始される。パケット交換ネゴシエーション７１８に関しては、その手段は問わないため詳細説明は省略する。
【０１８５】
通信サーバ６０４は、マルチメディア伝送サービス提供方法決定・変更手段６０５が回線交換通信手段１１６およびパケット交換通信手段１１７の使用による課金状況や、パケット交換通信手段１１７の使用状況を監視しており、パケット交換によるサービス提供中に、パケット交換通信部１１７の使用状況が図１０Ａのデータ構造８０１に示すパケット数に到達した場合、それをマルチメディア伝送サービス提供方法決定・変更手段６０５が判断し、回線交換による映像伝送サービスへ変更（サービス提供方法変更７１９）を行う。
【０１８６】
閾値であるパケット数に到達したことを知る方法としては、映像コンテンツのビットレートと送信時間からの換算、伝送されたＴＣＰ／ＩＰ（ＵＤＰ／ＩＰ）パケットを監視することによる積算などが考えられるが、ここではその手段は問わないため詳細説明は省略する。
【０１８７】
その後、通信端末６０１と通信サーバ６０４の間で、回線交換によるネゴシエーション７２０が行われ、回線交換による映像伝送サービスが開始される。回線交換ネゴシエーション７２０に関しては、その手段は問わないため詳細説明は省略する。
【０１８８】
以上のように、本実施の形態では、通信端末６０１がキャリアの提供する多様な加入サービス利用情報を基に、回線交換サービス、パケット交換サービスのそれぞれの指標に対し、サービスの可否・条件付き可否などを示すデータ構造に加工を行い、映像伝送サービス要求に付与してメッセージとして送信し、通信サーバ６０４が上記映像伝送サービス要求を基に、提供する映像伝送サービスを選択することで、多様なベアラによる映像伝送サービスの中から、ユーザに最適な映像伝送サービスを選択または変更することが可能となる。
【０１８９】
なお、本実施の形態ではパケット交換による映像伝送サービスから、回線交換による映像伝送サービスへの変更に関して説明したが、あるベアラ（または品質）から異なるベアラ（または品質）のマルチメディア伝送サービスへ変更することも可能である。
【０１９０】
さらに、本実施の形態では、加入サービス利用情報からデータ構造８０１のようなデータ構造に加工することにより、映像伝送サービスの要求または変更要求の指標としたが、今後の加入サービスの変更に伴い、データ構造を変更し、通信サーバがそのデータ構造を基に、多様なベアラによる映像伝送サービスの中からユーザに最適な映像伝送サービスを選択または変更するようにしても良い。
【０１９１】
また、本実施の形態では、マルチメディア伝送サービス提供方法決定・変更手段６０５が回線交換通信手段１１６およびパケット交換通信手段１１７の使用状況を監視していたが、本発明はこれに限らず、通信端末６０１の回線交換通信手段１０７およびパケット交換通信手段１０８の使用状況を監視して映像伝送サービス提供方法を変更することも可能である。
【０１９２】
さらに、本実施の形態では、多様なベアラにより提供される映像伝送サービスに関して説明を行ったが、映像伝送サービスだけではなく、音声サービスをはじめとする多様なベアラを用いるマルチメディア伝送サービスへも適用することができる。
【０１９３】
なお、本実施の形態では、通信サーバ６０４から通信端末６０１へ映像伝送サービスを提供するケースに関して説明を行ったが、ある通信端末に通信サーバ６０４と同じ構成を持たせることで、この通信サーバと同様の構成を有する通信端末から本実施の形態におけるサービスを受信する通信端末６０１へマルチメディア伝送サービスを提供することができ、本実施の形態と同様の効果が得られる。
【０１９４】
さらに、本実施の形態では、サービス提供側通信端末からサービス受信側通信端末へ映像伝送サービスを提供するという、端末と端末間の通信の流れとして片方向に関してのみ説明を行ったが、サービス提供側通信端末内にサービス受信側通信端末の構成を加え、サービス受信側通信端末にサービス提供側通信端末の構成を加えることで、双方向のマルチメディア伝送サービスを提供、すなわちテレビ電話や音声電話を実現することができ、そのようなケースにおいても本実施の形態と同様の効果が得られる。
【産業上の利用可能性】
【０１９５】
本発明は、携帯電話やＰＤＦ、カーナビゲーション装置、携帯テレビ、携帯ラジオなどユーザが携帯して使用する電子機器に種々のコンテンツの映像を表示させたり、音声を発生させるための通信端末や、またユーザが携帯して使用する電子機器に種々のコンテンツの映像や音声を送信するための送信用サーバとして有用である。
【図面の簡単な説明】
【０１９６】
【図１】本発明の実施の形態１に係る通信システムの構成を示すブロック図
【図２】本発明の実施の形態１に係る通信システムの動作を説明するための第１のシーケンス図
【図３】本発明の実施の形態１に係る通信システムの動作を説明するための第２のシーケンス図
【図４】本発明の実施の形態１及び実施の形態２に係る映像伝送サービスのサービス要求または変更要求を行うための条件を示すデータ構造図
【図５】本発明の実施の形態２に係る通信システムの構成を示すブロック図
【図６】本発明の実施の形態２に係る通信システムの動作を説明するための第１のシーケンス図
【図７】本発明の実施の形態２に係る通信システムの動作を説明するための第２のシーケンス図
【図８】本発明の実施の形態３に係る通信システムの構成を示すブロック図
【図９】本発明の実施の形態３に係る通信システムの動作を説明するためのシーケンス図
【図１０】本発明の実施の形態３に係る映像伝送サービス要求に付与する映像伝送サービス変更要件を示すデータ構造図
【符号の説明】
【０１９７】
１０１，６０１    通信端末
１０２    通信端末全体制御手段
１０３，４０８    加入サービス利用情報問い合わせ手段
１０４    マルチメディア伝送サービス要求手段
１０５    課金状況監視手段
１０６    パケット状況監視手段
１０７，１１６，４０３，４１１    回線交換通信手段
１０８，１１７，４０４，４１２    パケット交換通信手段
１０９，４１３，６０３    ユーザ情報管理サーバ
１１０    ユーザ情報管理サーバ全体制御手段
１１１    加入サービス利用情報取得手段
１１２    ユーザ加入サービス利用情報ＤＢ
１１３    通信手段
１１４，６０４    通信サーバ
１１５    通信サーバ全体制御手段
１１８，４０９    マルチメディア伝送サービス提供方法決定手段
１１９，４１０    コンテンツ情報ＤＢ
１２０，４１８，６０６    モバイルネットワーク
４０１    第１の通信端末
４０２    第１の通信端末全体制御手段
４０５    マルチメディア伝送サービス応答手段
４０６    第２の通信端末
４０７    第２の通信端末全体制御手段
６０２    マルチメディア伝送サービス要求メッセージ作成手段
６０５    マルチメディア伝送サービス提供方法決定・変更手段
【図１】
2006050594.tif 000003
【図２】
2006050594.tif 000004
【図３】
2006050594.tif 000005
【図４】
2006050594.tif 000006
【図５】
2006050594.tif 000007
【図６】
2006050594.tif 000008
【図７】
2006050594.tif 000009
【図８】
2006050594.tif 000010
【図９】
2006050594.tif 000011
【図１０】
2006050594.tif 000012